(57)【要約】【課題】冷暖房運転時などにおけるユーザの快適性を損なうことなく，フィルタの目詰まりによる空調能力の低下状態の長時間の継続を防止することのできる空気調和機を提供すること。【解決手段】フィルタ清掃制御処理では，送風運転の実行中にフィルタ清掃条件が充足したときは（Ｓ２のＹｅｓ側，Ｓ３のＹｅｓ側），その時点で送風運転を中断させて清掃動作を実行し（Ｓ４，Ｓ５），温調運転の実行中にフィルタ清掃条件が充足したときは（Ｓ２のＹｅｓ側，Ｓ３のＮｏ側），その時点では清掃動作を実行せずに温調運転を継続させ，その後に送風運転が実行されるとき（Ｓ３のＹｅｓ側），或いは空気調和機の稼働が停止されるときに（Ｓ３１のＹｅｓ側），清掃動作を実行する（Ｓ５，Ｓ３３）。【選択図】図７
2010255891.tif 000002
【特許請求の範囲】
【請求項１】
空気及び冷媒の間で熱交換を行う熱交換器と，前記熱交換器が接続されたヒートポンプサイクルに冷媒を循環させる圧縮機と，外部の空気を吸込口から吸い込み前記熱交換器を通過させて吹出口から外部に吹き出す送風機と，前記吸込口の内側に配置されて該吸込口から吸い込まれる空気から塵埃を除去するフィルタと，前記フィルタを清掃する清掃装置と，前記フィルタを前記吸込口に対応する吸込位置と前記清掃装置により清掃される清掃位置との間で摺動させるフィルタ摺動手段と，予め設定されたフィルタ清掃条件が充足した場合に，前記フィルタ摺動手段により前記フィルタを前記吸込位置から前記清掃位置に摺動させて前記フィルタを清掃するフィルタ清掃動作を自動実行するフィルタ清掃制御手段とを備えてなり，
前記圧縮機及び前記送風機を共に駆動する温度調節を伴う温調運転と，前記圧縮機を駆動せずに前記送風機を駆動する温度調節を伴わない送風運転とを実行する空気調和機であって，
前記フィルタ清掃制御手段が，
前記送風運転の実行中に前記フィルタ清掃条件が充足したときは，その時点で前記送風運転を中断させて前記清掃動作を実行し，
前記温調運転の実行中に前記フィルタ清掃条件が充足したときは，その時点では前記清掃動作を実行せずに前記温調運転を継続させ，その後に前記送風運転が実行されるとき，或いは前記空気調和機の稼働が停止されるときに前記清掃動作を実行することを特徴とする空気調和機。
【請求項２】
前記温調運転が，冷房運転，暖房運転，除湿運転のいずれか一つ又は複数を含んでなる請求項１に記載の空気調和機。
【請求項３】
前記送風運転が，前記空気調和機内においてイオンを発生させて空気を浄化する空気清浄運転を含んでなる請求項１又は２のいずれかに記載の空気調和機。
【請求項４】
前記フィルタ清掃条件が，初期状態から或いは前に前記清掃動作が実行されたときから計時した累積時間が予め設定された設定時間に達することである請求項１〜３のいずれかに記載の空気調和機。
【請求項５】
前記累積時間が，初期状態から或いは前に前記清掃動作が実行されたときから計時した前記送風機の駆動時間の累積時間である請求項４に記載の空気調和機。
【請求項６】
前記設定時間を任意に設定するための設定時間設定手段を備えてなり，
前記フィルタ清掃制御手段が，前記設定時間設定手段によって設定された前記設定時間に応じて前記清掃動作の内容を変更するものである請求項４又は５のいずれかに記載の空気調和機。
【請求項７】
前記フィルタ清掃制御手段が，前記フィルタ清掃条件が充足した後，前記清掃動作が実行されるまでの経過時間に応じて前記清掃動作の内容を変更するものである請求項１〜５のいずれかに記載の空気調和機。
【請求項８】
前記フィルタ清掃制御手段が，前記設定時間又は前記経過時間が長いほど前記清掃動作における前記フィルタの清掃時間及び／又は清掃回数を増加させるものである請求項６又は７のいずれかに記載の空気調和機。
【発明の詳細な説明】
【技術分野】
【０００１】
本発明は，冷暖房運転や送風運転などを実行する空気調和機に関し，特に，空気の吸い込み口の内側に配置されたフィルタを定期的に自動清掃するフィルタ自動清掃機能を有する空気調和機に関するものである。
【背景技術】
【０００２】
一般に，冷暖房運転や送風運転などを実行する空気調和機には，外部から空気を吸い込む吸込口の内側に，その空気から塵埃を除去するフィルタが設けられている。このフィルタに塵埃が堆積して目詰まりが生じると，フィルタを通過する空気量が減少するため，空気調和機の空調能力が低下する。したがって，フィルタは定期的に清掃することが望ましい。
例えば，特許文献１〜３では，空気調和機においてフィルタの清掃が自動的に実行される構成が開示されている。具体的には，フィルタが吸込口に対応する吸込位置と清掃装置により清掃される清掃位置の間で摺動可能に構成されており，必要に応じてフィルタをその吸込位置と清掃位置との間で往復させることによって自動清掃が行われる。これにより，ユーザによるフィルタの清掃の手間を省くことができる。
また，特許文献２，３には，所定時間の経過を計時することによって自動的にフィルタの清掃タイミングを計ることが記載されている。但し，空気調和機の送風機が駆動されている状態でフィルタを吸込口から清掃部まで摺動させると，吸込口から吸い込まれる空気中の塵埃が熱交換器や送風機に付着するおそれがある。そのため，特許文献２では，送風機の駆動を中断してからフィルタの清掃を行う構成が開示されている。また，特許文献３では，空気調和機の稼働が停止されるときまでフィルタの清掃を実行しない構成が開示されている。
【先行技術文献】
【特許文献】
【０００３】
【特許文献１】特開２００７−１００９７５号公報
【特許文献２】特開２００４−１３８３２９号公報
【特許文献３】特開２００４−１０１１０１号公報
【発明の概要】
【発明が解決しようとする課題】
【０００４】
しかしながら，特許文献２に係る構成では，冷房運転や暖房運転が実行されている途中でもフィルタの清掃タイミングの到来によりその冷房運転や暖房運転が中断されるため，その清掃の間は室内の温度調整を行うことができず，ユーザの快適性を損なうという問題がある。
また，特許文献３に係る構成では，空気調和機の稼働が停止されるときまでフィルタの清掃が行われないため，空気調和機が長時間連続稼働されると，フィルタに目詰まりが生じて空調能力が低下した非効率的な状態が長時間継続することとなる。この場合，例えば空気調和機が非効率的な状態で稼働することによる電力消費の増加などが問題となる。特に近年では，空気調和機が冷暖房機能だけでなく空気清浄機能を有することがあり，その空気清浄機能による空気清浄を目的とする送風運転が長時間継続的に実行することが考えられるため，このような状況に陥りやすい。
従って，本発明は上記事情に鑑みてなされたものであり，その目的とするところは，冷暖房運転時などにおけるユーザの快適性を損なうことなく，フィルタの目詰まりによる空調能力の低下状態の長時間の継続を防止することのできる空気調和機を提供することにある。
【課題を解決するための手段】
【０００５】
上記目的を達成するために本発明は，空気及び冷媒の間で熱交換を行う熱交換器と，前記熱交換器が接続されたヒートポンプサイクルに冷媒を循環させる圧縮機と，外部の空気を吸込口から吸い込み前記熱交換器を通過させて吹出口から外部に吹き出す送風機と，前記吸込口の内側に配置されて該吸込口から吸い込まれる空気から塵埃を除去するフィルタと，前記フィルタを清掃する清掃装置と，前記フィルタを前記吸込口に対応する吸込位置と前記清掃装置により清掃される清掃位置との間で摺動させるフィルタ摺動手段と，予め設定されたフィルタ清掃条件が充足した場合に，前記フィルタ摺動手段により前記フィルタを前記吸込位置から前記清掃位置に摺動させて前記フィルタを清掃するフィルタ清掃動作を自動実行するフィルタ清掃制御手段とを備えてなり，前記圧縮機及び前記送風機を共に駆動する温度調節を伴う温調運転と，前記圧縮機を駆動せずに前記送風機を駆動する温度調節を伴わない送風運転とを実行する空気調和機に適用されるものである。ここに，前記温調運転とは，例えば冷房運転，暖房運転，除湿運転などである。また，前記送風運転とは，例えば前記空気調和機内においてイオンを発生させて空気を浄化する空気清浄運転などである。
そして，本発明に係る空気調和機では，前記フィルタ清掃制御手段が，前記送風運転の実行中に前記フィルタ清掃条件が充足したときは，その時点で前記送風運転を中断させて前記清掃動作を実行し，前記温調運転の実行中に前記フィルタ清掃条件が充足したときは，その時点では前記清掃動作を実行せずに前記温調運転を継続させ，その後に前記送風運転が実行されるとき，或いは前記空気調和機の稼働が停止されるときに前記清掃動作を実行するように構成されている。
【０００６】
本発明によれば，前記温調運転の実行中は，該温調運転の中断がユーザの快適性に与える影響が大きいため，前記温調運転を継続させてユーザの快適性を優先させることができる。これに対し，前記送風運転の実行中は，該送風運転を中断してもユーザの快適性に与える影響は小さいため，前記フィルタの清掃動作を優先させている。これにより，前記フィルタの目詰まりによる空調能力低下状態の長時間の継続を防止することができる。
なお，前記フィルタ清掃条件は，初期状態から或いは前に前記清掃動作が実行されたときから計時した累積時間が予め設定された設定時間に達することであることが考えられる。ここに，前記累積時間は，例えば初期状態から或いは前に前記清掃動作が実行されたときから計時した前記送風機の駆動時間の累積時間である。前記送風機の駆動時間によって前記フィルタへの塵埃の堆積量を推定し得るためである。
【０００７】
ところで，前記設定時間を任意に設定するための設定時間設定手段を備える場合には，前記フィルタ清掃制御手段が，前記設定時間設定手段によって設定された前記設定時間に応じて前記清掃動作の内容を変更するものであることが考えられる。
また，前記フィルタ清掃制御手段が，前記フィルタ清掃条件が充足した後，前記清掃動作が実行されるまでの経過時間に応じて前記清掃動作の内容を変更するものであることも考えられる。
具体的に，前記フィルタ清掃制御手段は，前記設定時間又は前記経過時間が長いほど前記清掃動作における前記フィルタの清掃時間や清掃回数を増加させるものであることが考えられる。
このように前記清掃動作の内容を変更することにより，前記フィルタの清掃間隔が長くなり該フィルタの塵埃の堆積量が多くなるほど，前記清掃動作における前記フィルタの清掃を念入りに行うことができる。
【発明の効果】
【０００８】
本発明によれば，冷暖房運転などの温調運転時におけるユーザの快適性を損なうことなく，前記フィルタの目詰まりによる空調能力の低下状態の長時間の継続を防止することのできる空気調和機を提供し得る。
【図面の簡単な説明】
【０００９】
【図１】本発明の実施の形態に係る空気調和機の室内ユニットＸの外観斜視図。
【図２】本発明の実施の形態に係る空気調和機の室内ユニットＸの断面図。
【図３】本発明の実施の形態に係る空気調和機の室内ユニットＸの吹出口１２の開放状態を示す断面図。
【図４】本発明の実施の形態に係る空気調和機の室内ユニットＸの吹出口１２の開放状態を示す断面図。
【図５】本発明の実施の形態に係る空気調和機の室内ユニットＸの清掃動作中の状態を示す断面図。
【図６】本発明の実施の形態に係る空気調和機の室内ユニットＸの清掃装置５を説明するための要部斜視図。
【図７】本発明の実施の形態に係る空気調和機の室内ユニットＸで実行されるフィルタ清掃制御処理の手順の一例を説明するフローチャート。
【図８】フィルタ清掃制御処理の手順の他の例を説明するフローチャート。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
本発明の実施の形態に係る空気調和機（以下，「空気調和機Ｚ」と称する）は，屋内に配設される後述の室内ユニットＸ（図１参照）と，屋外に配設される不図示の室外機（以下，「室外機Ｙ」と称する）とが各種の配管・配線で接続されることによって構成された所謂セパレート型の空気調和機である。なお，本発明は，一体型の空気調和機にも適用可能である。
室外機Ｙには，冷媒を圧縮する圧縮機や冷媒を状態変化（膨張）させる膨張弁，冷媒の循環方向を切り換える四方切換弁，冷媒及び室外空気の間で熱交換を行う室外空気熱交換器などが設けられている。そして，空気調和機Ｚでは，室外機Ｙに設けられた前記圧縮機，前記四方切換弁，前記室外空気熱交換器，前記膨張弁と，室内ユニットＸに設けられた後述の熱交換器２とが冷媒配管によって順に接続されることにより，冷媒が循環されるヒートポンプサイクル（冷凍サイクル）が形成されている。
【００１１】
図１〜図４に示すように，室内ユニットＸは，機外の空気を機内に吸い込むための吸込口１１及び機内の空気を機外に吹き出すための吹出口１２が形成されたユニット筐体１を備えている。なお，図１〜図３に示す吸込口１１は，ユニット筐体１の上部（天面）に形成されているが，これに限らず前面に形成されていても，或いは上面から前面に亘って形成されていてもよい。
また，ユニット筐体１の前面には，図３及び図４に示すように上端部又は下端部のいずれかを中心に回動することによって吹出口１２を開く吹出パネル１３が設けられている。室内ユニットＸでは，ユーザが風向調整のためにリモコン（不図示）を操作したこと等に応じて，吹出パネル１３が上端部又は下端部のいずれかを中心に回動することにより，吹出口１２からの空気の吹き出し方向が水平方向又は下方向に切り換えられる。
そして，室内ユニットＸは，ユニット筐体１の吸込口１１の内側に配置されて該吸込口１１から吸い込まれる空気から塵埃を除去するフィルタ４を有している。本発明の実施の形態に係る空気調和機Ｚは，このフィルタ４の自動清掃を実行するタイミング制御に特徴を有しており，該フィルタ４及びこれを清掃するための構成及び処理については後段で詳述する。
【００１２】
また，図２〜図４に示すように，室内ユニットＸは，空気及び冷媒の間で熱交換を行う熱交換器２と，外部の空気を吸込口１１から吸い込み熱交換器２を通過させて吹出口１２から外部に吹き出すクロスフローファン３（送風機の一例）と，イオン（マイナスイオンやプラスイオンなど）を発生させるイオン発生装置７と，ＣＰＵ，ＥＰＲＯＭ，ＲＯＭなどの制御機器を有する不図示の制御装置（以下，「制御装置α」と称する）とを備えている。
制御装置αは，前記ＣＰＵによって，前記ＲＯＭに予め記憶された制御プログラムに従った処理を実行することにより，空気調和機Ｚを統括的に制御する。なお，不揮発性メモリである前記ＥＰＲＯＭは，前記ＣＰＵによる各種処理のパラメータ記憶領域や演算処理領域として用いられる。
【００１３】
具体的に，制御装置αは，空気調和機Ｚに付随するリモコン（不図示）に対するユーザ操作によって設定された運転モードや温度条件などに基づいて，以下のように空気調和機Ｚの運転状況を制御する。
まず，制御装置αは，冷房運転，暖房運転，除湿運転などの温度調節を伴う温調運転の実行が要求された場合には，室外機Ｙの圧縮機及び室内ユニットＸのクロスフローファン３を共に駆動させる。これにより，前記ヒートポンプサイクルに冷媒が循環されると共に，室内ユニットＸによる吸排気が行われ，室内空気が冷却又は加熱される冷房運転，暖房運転，除湿運転などの温調運転が実現される。このとき，制御装置αは，室外機Ｙの四方弁を切り換えて前記ヒートポンプサイクルにおける冷媒の循環方向を切り換えることにより，室内ユニットＸの熱交換器２における空気の冷却（冷房運転），加熱（暖房運転）を切り換える。なお，除湿運転は，室内の湿度を下げることによりユーザの体感温度を下げるものであって，冷房運転と略同様の動作を行うものである。
また，制御装置αは，イオン発生装置７を駆動することにより空気調和機Ｚ内でイオンを発生させて空気を浄化する空気清浄運転など，温度調節を伴わない送風運転の実行が要求された場合には，室外機Ｙの圧縮機を駆動させずに室内ユニットＸのクロスフローファン３を駆動させる。
【００１４】
ここに，本実施の形態における送風運転とは，冷房運転や暖房運転の実行中に室外機Ｙの圧縮機が一時的に停止される状態は含まないものとする。これは，一時停止中にフィルタ清掃を開始すると，その一時停止中にフィルタ清掃が終了しない可能性があり，冷房運転や暖房運転の再開が遅れることを懸念したためである。
ただし，例えば冷房運転の実行中に，設定温度よりも少し低めの室温（具体的には，少なくともフィルタ清掃が終わるまでは部屋温度が室外機Ｙの圧縮機を再起動する温度に達しない程度の室温）まで冷房運転を継続させた後で該圧縮機を停止させれば，その停止中にフィルタ清掃を行っても，室外機Ｙの圧縮機の再起動が必要となる前にフィルタ清掃を終了させることができるため，このような構成においては，冷房運転の実行中に室外機Ｙの圧縮機が一時的に停止される状態も送風運転の一例として捉えることが可能である。なお，暖房運転の実行中についても同様である。
【００１５】
次に，図２及び図５，６を用いて，空気調和機Ｚの室内ユニットＸに設けられたフィルタ４を自動清掃するための構成について説明する。
図２及び図５に示すように，室内ユニットＸは，フィルタ４を清掃する清掃装置５と，フィルタ４を吸込口１１に対応する吸込位置Ｐ１と清掃装置５により清掃される清掃位置Ｐ２との間で摺動させるフィルタ摺動機構６とを備えている。
フィルタ４は，埃や塵などを除去するためのメッシュ状のフィルタ部や，該フィルタ部を支持するフィルタ枠部，フィルタ摺動機構６に設けられた後述の駆動ギア６４に噛合される凹凸部などを有する平板状の塵埃捕集フィルタである。前記凹凸部は，フィルタ４の摺動方向に沿って形成されており，該凹凸部に噛合された後述の駆動ギア６４の駆動に連動してフィルタ４を摺動させる。なお，前記フィルタ枠部は，可撓性のあるものであればよく，例えばポリプロピレン，ポリエチレンテレフタレート（ＰＥＴ），軟質樹脂などの合成樹脂，ゴム，紙などである。
【００１６】
清掃装置５は，フィルタ４に付着した塵埃を掻き取るブラシ５１と，ブラシ５１を覆う排気ダクト５２と，排気ダクト５２の端部から室外に続く排気ダクト５３と，排気ダクト５２，５３を経てブラシ５１によって掻き取られた塵埃を室外に排出するための排気ファン５４とを備えている。
ブラシ５１は，フィルタ４の摺動方向とは直交する方向に長尺状を成しており，該フィルタ４が摺動するレール部６１上の清掃位置Ｐ２に配置されている。これにより，ブラシ５１は，フィルタ４がレール部６１に沿って摺動するときに，該フィルタ４における吸込口１１との対向面に接触し，該フィルタ４に付着した塵埃を掻き取る。
そして，ブラシ５１によりフィルタ４から掻き取られた塵埃は，排気ファン５４が駆動されることによって排気ダクト５２，５３内に発生する吸引力によって，該排気ダクト５２，５３を介して室外に排出される。
【００１７】
フィルタ摺動機構６は，フィルタ４を摺動自在に支持するレール部６１と，制御装置αによって駆動が制御される駆動モータ６２と，駆動モータ６２に連結された駆動ギア６３と，該駆動ギア６３に噛合された駆動ギア６４とを備えている。なお，フィルタ摺動機構６は，フィルタ４を吸込口１１に対応する吸込位置Ｐ１と清掃装置５により清掃される清掃位置Ｐ２との間で摺動させるフィルタ摺動手段の一例に過ぎず，該機能を実現し得る他の構成であってもよい。
レール部６１は，吸込口１１に対応する吸込位置Ｐ１から清掃装置５により清掃される清掃位置Ｐ２を経て退避位置Ｐ３に亘る略Ｕ字状を成している。少なくともレール部６１は，フィルタ４を吸込位置Ｐ１から退避位置Ｐ３に向けて移動させたときの該フィルタ４の後端部４ａが清掃装置５による清掃が可能な清掃位置Ｐ２を通過し得る長さを有している。
駆動ギア６４は，Ｕ字状のレール部６１の内側に配置されており，フィルタ４の前記凹凸部に噛合されている。そして，駆動ギア６４は，駆動モータ６２の正逆転に連動して駆動ギア６３と共に正逆転し，該フィルタ４を吸込位置Ｐ１と清掃位置Ｐ２との間で摺動させる。
このように，室内ユニットＸでは，フィルタ摺動機構６の駆動モータ６２が駆動されてフィルタ４が吸込位置Ｐ１と清掃位置Ｐ２との間で摺動することにより，該フィルタ４が清掃装置５で清掃される清掃動作が実行される。
【００１８】
空気調和機Ｚでは，室内ユニットＸの制御装置αによって後述のフィルタ清掃制御処理（図７のフローチャート参照）が実行されることにより，フィルタ４の清掃動作を自動実行するタイミングが制御される。ここに，係るフィルタ清掃制御処理を自動実行するときの制御装置αがフィルタ清掃制御手段に相当する。
以下，図７のフローチャートに従って，制御装置αによって実行されるフィルタ清掃制御処理の手順の一例について説明する。なお，図７中のＳ１，Ｓ２，…は処理手順（ステップ）の番号を表している。
当該フィルタ清掃制御処理は，室内ユニットＸの稼働中に制御装置αによって実行され，該室内ユニットＸの稼働停止と共に終了する。なお，空気調和機Ｚの稼働中とは，クロスフローファン３が駆動されており，温調運転及び送風運転のいずれかが実行されている状態をいい，稼働停止とは，クロスフローファン３が停止した状態（スタンバイモード，省電力モードなど）をいう。
【００１９】
（ステップＳ１）
まず，制御装置αは，ステップＳ１において，クロスフローファン３が駆動している時間の合計を示す累計時間の計時を実行する。前記累積時間は，制御装置αのＥＰＲＯＭなどに記憶される。そして，前記累積時間は，当該室内ユニットＸの稼働終了時にはリセットされず，フィルタ４の清掃動作（後述のＳ５，Ｓ３３）が実行されたことを条件にリセットされる（後述のＳ６又はＳ３４）。即ち，前記累積時間は，前に清掃動作が実行されたときから計時したクロスフローファン３の駆動時間の累積時間を示すものである。なお，室内ユニットＸの初期稼働時には，その初期状態から前記累積時間が計時される。
このように，本実施の形態では，クロスフローファン３の駆動時間の合計を前記累積時間として計時することにより，フィルタ４への塵埃の堆積量を推定している。なお，例えば前回清掃動作が実行されたときからの経過時間を前記累積時間として計時することや，送風運転の実行時間だけを前記累積時間として計時することも他の実施例として考えられる。
【００２０】
（ステップＳ２）
次に，制御装置αは，ステップＳ２において，前記累積時間が，予め設定された設定時間に達したか否かを判断する。
前記設定時間は，フィルタ４の清掃タイミングを判断するために初期設定され或いはユーザによって任意に設定される時間である。例えば，制御装置αは，室内ユニットＸに付随するリモコン（不図示）のユーザ操作に応じて前記設定時間を設定する。ここに，係る前記設定時間を設定するための処理を実行するときの制御装置αが設定時間設定手段に相当する。なお，前記累積時間が前記設定時間に達することは，フィルタ４の清掃タイミングの到来を判断するために予め設定されたフィルタ清掃条件の一例に過ぎず，その他のフィルタ清掃条件が設定されていてもよい。
当該ステップＳ２において，前記累積時間が前記設定時間に達していないと判断されると（Ｓ２のＮｏ側），フィルタ４の清掃タイミングが到来していないため，処理はステップＳ１に戻る。
一方，前記累積時間が前記設定時間に達したと判断されると（Ｓ２のＹｅｓ側），フィルタ４の清掃タイミングが到来したため，処理はステップＳ３に移行する。
【００２１】
（ステップＳ３）
ステップＳ３では，制御装置αは，空気調和機Ｚにおいて現在実行中の運転モードが送風運転であるか否かを判断する。ここで，送風運転の実行中であると判断されると（Ｓ３のＹｅｓ側），処理はステップＳ４に移行する。一方，送風運転の実行中でないと判断された場合，即ち温調運転が実行されている場合には（Ｓ３のＮｏ側），処理は後述のステップＳ３１に移行する。
【００２２】
（ステップＳ４〜Ｓ７）
まず，送風運転の実行中である場合には，続くステップＳ４において，制御装置αは，クロスフローファン３の駆動を停止させることにより，現在実行中の送風運転を中断する。これにより，ユニット筐体１の吸込口１１からの吸気が停止する。
そして，制御装置αは，フィルタ摺動機構６の駆動モータ６２を駆動させることにより，フィルタ４を吸込位置Ｐ１から清掃位置Ｐ２に往復して摺動させることにより，該フィルタ４を清掃装置５によって清掃する清掃動作を実行させる（Ｓ５）。
このように，空気調和機Ｚでは，送風運転の実行中に，前記累積時間が前記設定時間に達した場合（フィルタ清掃条件が充足した場合）には，その時点で該送風運転が中断されてフィルタ４の清掃動作が優先的に実行される。
その後，ステップＳ５におけるフィルタ４の清掃動作が終了すると，制御装置αは，前記累積時間をリセットし（Ｓ６），前記ステップＳ４で中断した送風運転を再開させ（Ｓ７），処理をステップＳ１に戻す。
【００２３】
（ステップＳ３１）
一方，温調運転の実行中である場合には，続くステップＳ３１において，制御装置αは，空気調和機Ｚの稼働停止要求が発生したか否かを判断する。具体的に，制御装置αは，ユーザのリモコン操作やオフタイマー設定時間が経過したか否かなどに応じて空気調和機Ｚの稼働停止要求の有無を判断する。
ここで，空気調和機Ｚの稼働停止要求が発生したと判断されると（Ｓ３１のＹｅｓ側），処理はステップＳ３２に移行し，空気調和機Ｚの運転停止要求がなければ（Ｓ３１のＮｏ側），処理はステップＳ３１に戻される。
【００２４】
（ステップＳ３２）
空気調和機Ｚの稼働停止要求がなされた場合（Ｓ３１のＹｅｓ側），制御装置αは，次のステップＳ３２において，室外機Ｙの前記圧縮機及び室内ユニットＸの前記クロスフローファン３の駆動を停止させることにより，温調運転を停止させる。
そして，制御装置αは，前述のステップＳ５と同様に，フィルタ摺動機構６の駆動モータ６２を駆動させることにより，フィルタ４を吸込位置Ｐ１から清掃位置Ｐ２に往復して摺動させることにより，該フィルタ４を清掃装置５によって清掃する清掃動作を実行させる（Ｓ３３）。
その後，フィルタ４の清掃動作が終了すると，制御装置αは，前記累積時間をリセットし（Ｓ３４），当該フィルタ清掃制御処理を終了する。
このように，空気調和機Ｚでは，温調運転の実行中に，前記累積時間が前記設定時間に達した場合（フィルタ清掃条件が充足した場合）には，その時点でフィルタ４の清掃動作は実行されず（Ｓ３のＮｏ側，Ｓ３１のＮｏ側），その温調運転が継続される。そして，その後，送風運転が実行されること，或いは温調運転が停止されることを条件に（Ｓ３のＹｅｓ側又はＳ３１のＹｅｓ側），フィルタ４の清掃動作が実行される（Ｓ５，Ｓ３３）。
【００２５】
以上説明したように，空気調和機Ｚでは，温調運転の実行中は，該温調運転の中断がユーザの快適性に与える影響が大きいことを考慮し，該温調運転を継続させてユーザの快適性を優先させることができる。
その一方で，送風運転の実行中は，該送風運転を中断してもユーザの快適性に与える影響は小さいため，フィルタ４の清掃動作を優先させることにより，フィルタ４の目詰まりによる空調能力低下状態の長時間の継続を防止することができる。
【実施例１】
【００２６】
ところで，既に前記フィルタ清掃制御処理におけるステップＳ２で判断指標となる前記設定時間がユーザにより任意に設定可能であることについて言及したが，この場合には，ユーザによって前記設定時間が長く設定されるほど，フィルタ４の清掃動作が実行されるまでにフィルタ４に堆積する塵埃量が増加すると考えられる。
そこで，この場合には，制御装置αが，前記設定時間に応じてフィルタ４の清掃動作（Ｓ５，Ｓ３３）の内容を変更することが望ましい。具体的には，前記設定時間が長いほど清掃動作におけるフィルタ４の清掃回数（往復回数）を増加させることが考えられる。なお，清掃装置５が該清掃装置５を通過するフィルタ４の通過時間が長いほど該フィルタ４の清掃効果が高まるような場合（例えば吸引式の清掃装置）には，清掃時間を増加させることも考えられる。
これにより，フィルタ４に堆積した塵埃量が増加していると考えられる場合には，より念入りにフィルタ４の清掃を行うことができる。
【実施例２】
【００２７】
また，前記フィルタ清掃制御処理におけるステップＳ２でフィルタ清掃条件が充足したと判断された場合であっても，その後，実際にフィルタ４の清掃動作が実行されるまでの経過時間が長ければ，フィルタ４に堆積する塵埃量が増加すると考えられる。
そのため，制御装置αは，前記フィルタ清掃条件が充足した後，フィルタ４の清掃動作が実行されるまでの経過時間に応じてその清掃動作（Ｓ５，Ｓ３３）の内容を変更することが望ましい。
【００２８】
ここに，図８は，このような構成を実現する場合の前記フィルタ清掃制御処理の一例を示すフローチャートである。なお，図７で説明したフィルタ清掃制御処理と同様の処理手順については同じ符号を付している。
図８に示すように，本実施例２に係るフィルタ清掃制御処理は，ステップＳ３１の前段でステップＳ３０の処理が実行される点で図７に示したフィルタ清掃制御処理と異なる。
このステップＳ３０では，制御装置αは，ステップＳ２において前記累積時間が前記設定時間に達したと判断された後，清掃動作が実行されるまでの清掃待機時間を計時する。なお，当該清掃待機時間は，ステップＳ６，Ｓ３４における前記累積時間のリセットと共にリセットされる。
そして，制御装置αは，その後に清掃動作（Ｓ５，Ｓ３３）を実行することとなった場合に，その清掃動作の内容を前記清掃待機時間に応じて変更する。具体的には，前記清掃待機時間が長いほど清掃動作におけるフィルタ４の清掃回数（往復回数）を増加させることが考えられる。なお，清掃装置５が該清掃装置５を通過するフィルタ４の通過時間が長いほど該フィルタ４の清掃効果が高まるような場合（例えば吸引式の清掃装置）には，清掃時間を増加させることも考えられる。これにより，フィルタ４に堆積した塵埃量が増加していると考えられる場合には，より念入りにフィルタ４の清掃を行うことができる。
【符号の説明】
【００２９】
Ｘ：室内ユニット
Ｙ：室外機
Ｚ：空気調和機
１：ユニット筐体
１１：吸込口
１２：吹出口
１３：吹出パネル
２：熱交換器
３：クロスフローファン（送風機の一例）
４：フィルタ
５：清掃装置
５１：ブラシ
５２，５３：排気ダクト
５４：排気ファン
６：フィルタ摺動機構
６１：レール部
６２：駆動モータ
６３，６４：駆動ギア
７…イオン発生装置
Ｓ１，Ｓ２，…：処理手順（ステップ）番号
【図１】
2010255891.tif 000003
【図２】
2010255891.tif 000004
【図３】
2010255891.tif 000005
【図４】
2010255891.tif 000006
【図５】
2010255891.tif 000007
【図６】
2010255891.tif 000008
【図７】
2010255891.tif 000009
【図８】
2010255891.tif 000010